(57)【特許請求の範囲】
【請求項１】
無端状に連結された踏板の上面部に回転する刷毛を当接させて前記踏板の上面部を清掃するブラシ装置と、前記ブラシ装置に当接するように配設され前記ブラシ装置に付着した塵埃類を前記ブラシ装置から回収する塵埃回収体と前記塵埃回収体を保持する支持板とを有する固定式の塵埃回収手段とを備えたことを特徴とする乗客用コンベアの踏板清掃装置。
【請求項２】
前記ブラシ装置は、前記踏板の長手方向の両端部側および前記両端部の間の中央部側に配置されたことを特徴とする請求項１に記載の乗客用コンベアの踏板清掃装置。
【請求項３】
前記塵埃回収手段の前記塵埃回収体は、繊維状素材の集積体または発泡材料のブロックからなることを特徴とする請求項１または請求項２に記載の乗客用コンベアの踏板清掃装置。
【請求項４】
前記塵埃回収手段の下部に受け皿を設けたことを特徴とする請求項３に記載の乗客用コンベアの踏板清掃装置。
【請求項５】
前記塵埃回収手段は、塵埃を漉き取るエッジ及び塵埃を保持する箱体を備えていることを特徴とする請求項１または請求項２に記載の乗客用コンベアの踏板清掃装置。
【請求項６】
前記塵埃回収手段は、前記塵埃回収体として、繊維状素材の集積体または発泡材料のブロックからなり、かつ塵埃を漉き取るエッジ及び塵埃を保持する箱体を備えていることを特徴とする請求項１または請求項２に記載の乗客用コンベアの踏板清掃装置。
【請求項７】
前記ブラシ装置によって掻き出された塵埃類を吸引する吸引装置を備えたことを特徴とする請求項１ないし請求項６の何れか１項に記載の乗客用コンベアの踏板清掃装置。
【請求項８】
前記吸引装置は掃除機であることを特徴とする請求項７に記載の乗客用コンベアの踏板清掃装置。
【発明の詳細な説明】
【技術分野】
【０００１】
この発明は、例えば無端状に連結された踏板の清掃を自動的に行う乗客コンベアの踏板清掃装置に関するものである。
【背景技術】
【０００２】
従来の乗客用コンベアの踏段を清掃する装置として、無端状に連結された多数の踏段を有するエスカレータの乗降口に着脱自在に固定される保持具と、前記保持具に取付けられ前記踏段の長手方向に沿って摺動自在に移動可能な回転ブラシを備える清掃手段と、前記清掃手段に設けた前記回転ブラシの毛先を前記踏段のクリート部中に向けて押圧する押圧手段とからなるエスカレータの踏段清掃装置がある。（例えば特許文献１参照）
【０００３】
また、前記のような踏段清掃装置において、回転ブラシの毛先に付着した塵埃を回収するために、無端状に連結されたステップの上面部に回転するブラシ装置を当接させて前記ステップの上面部を清掃するとともに前記ステップの長手方向に沿って摺動自在に移動可能なブラシ装置と、前記ブラシ装置に当接するように設けられ前記ブラシ装置に付着した塵埃類を前記ブラシ装置から転着させる巻き取り式の被着体を有する転写手段を備えるステップ清掃装置がある。（例えば特許文献２参照）
【先行技術文献】
【特許文献】
【０００４】
【特許文献１】特開昭６１−１７８３９２号公報（第１頁、第６図）
【特許文献２】特開２０１０−１８４７６２号公報（第７頁、第１図）
【発明の概要】
【発明が解決しようとする課題】
【０００５】
上述した従来の特許文献1に記載の乗客コンベアの踏段清掃装置にあっては、清掃が進
むにつれて回転ブラシに塵埃が付着し、特に、踏段の両サイドは、乗客用コンベアの駆動用チェーンと機構部に供給される潤滑材の影響により油汚れがあるため、回転ブラシに油分を含む塵埃類がこびりつくことにより、清掃性能が低下するという問題があった。このため、該特許文献１に記載されていないが、清掃運転を中止して回転ブラシを交換したり、取り外して洗浄する必要があるという課題があった。また、回転ブラシを踏段の長手方向に沿って摺動して移動させないと踏段の長手方向全体を清掃することができないという課題があった。
【０００６】
また特許文献２のような踏段清掃装置にあっては、特許文献１での課題は解決できるものの塵埃の回収機構が複雑で、装置の製造コストが高いという課題があった。ブラシ装置をステップの長手方向に沿って摺動して移動させないとステップの長手方向全体を清掃することができないという課題があった。
【０００７】
この発明は、上記のような課題を解決するためになされたものであり、その目的は、清掃装置の運転を長時間止めることなく、清掃性能を維持することができるとともに安価な製造コストとなる乗客コンベアの踏板清掃装置を提供することを目的としている。
【課題を解決するための手段】
【０００８】
この発明に係わる乗客コンベアの踏板清掃装置は、無端状に連結された踏板の上面部に回転する刷毛を当接させて前記踏板の上面部を清掃するブラシ装置と、前記ブラシ装置に当接するように配設され前記ブラシ装置に付着した塵埃類を前記ブラシ装置から回収する塵埃回収体と前記塵埃回収体を保持する支持板とを有する固定式の塵埃回収手段とを備えたものである。
【発明の効果】
【０００９】
この発明に係わる乗客コンベアの踏板清掃装置によれば、塵埃回収手段によってブラシ装置に付着した塵埃類を塵埃回収体に回収するようにしたことにより、装置コストが安くなるとともに、ブラシ装置の汚れが所定レベル以内に維持され、乗客コンベアの踏板清掃装置の運転を長時間止めることなく、清掃性能を維持することができる。
【図面の簡単な説明】
【００１０】
【図１】この発明の実施の形態１に係わる乗客コンベアの踏板清掃装置を示す平面図である。
【図２】この発明の実施の形態１に係わる乗客コンベアの踏板清掃装置を示す側面図である。
【図３】この発明の実施の形態１に係わる乗客コンベアの踏板清掃装置を示す正面図である。
【図４】この発明の実施の形態1に係わる乗客コンベアの踏板清掃装置の設置状態を示す斜視図である。
【図５】この発明の実施の形態1に係わる乗客コンベアの踏板清掃装置の設置状態を示す側面図である。
【図６】この発明の実施の形態1に係わる乗客コンベアの踏板清掃装置の要部の動作を示す図である。
【図７】この発明の実施の形態２に係わる乗客コンベアの踏板清掃装置における塵埃回収手段を示す図である。
【図８】この発明の実施の形態３に係わる乗客コンベアの踏板清掃装置における塵埃回収手段を示す図である。
【図９】この発明の実施の形態４に係わる乗客コンベアの踏板清掃装置における塵埃回収手段を示す図である。
【図１０】この発明の実施の形態４に係わる乗客コンベアの踏板清掃装置における塵埃回収手段の他の例を示す図である。
【図１１】この発明の実施の形態５に係わる乗客コンベアの踏板清掃装置を示す側面図である。
【図１２】この発明の実施の形態５に係わる乗客コンベアの踏板清掃装置の設置状態を示す側面図である。
【発明を実施するための形態】
【００１１】
実施の形態１．
以下、この発明の実施の形態１を図１ないし図６に基づいて説明するが、各図において、同一、または相当部材、部位については同一符号を付して説明する。図１はこの発明の実施の形態１に係わる乗客コンベアの踏板清掃装置を示す平面図である。図２はこの発明の実施の形態１に係わる乗客コンベアの踏板清掃装置を示す側面図である。図３はこの発明の実施の形態１に係わる乗客コンベアの踏板清掃装置を示す正面図である。図４はこの発明の実施の形態1に係わる乗客コンベアの踏板清掃装置の設置状態を示す斜視図である。図５はこの発明の実施の形態1に係わる乗客コンベアの踏板清掃装置の設置状態を示す側面図である。図６はこの発明の実施の形態1に係わる乗客コンベアの踏板清掃装置の要部の動作を示す図である。なお、図１〜図３、図５、図６では、部材相互の配置の理解を容易にするためにブラシ装置５にハッチングを入れて簡易的に示している。また、図６（ａ）は装置の側面図、図６（ｂ）はブラシ装置５及び塵埃回収手段４の詳細図、図６（ｃ）は塵埃回収手段４の斜視図をそれぞれ示している。
【００１２】
図１〜図３において、乗客用コンベアの踏板清掃装置１は、使用時に略水平方向に延在
して設置され、筐体２は図４に示すように、取付アーム３により例えばエスカレータ等の無端状に連結された踏板１１上に設置される。筐体２の内部には、駆動軸６ａを有する駆動用モータ６と、踏板１２の長手方向の両端部側および前記両端部の間の中央部側に配置され無端状に連結された踏板１２の上面部に回転する刷毛を当接させて前記踏板１１の上面部を清掃するブラシ装置５と、踏板１１の長手方向の両端部側のブラシ装置５が取り付けられた回転軸７と、踏板１１の長手方向の両端部の間の中央部側のブラシ装置５が取り付けられた回転軸８と、駆動用モータ６の駆動軸６ａと回転軸７とに懸架された駆動用ベルト９と、駆動用モータ６の駆動軸６ａと回転軸８とに懸架された駆動用ベルト１０と、各ブラシ装置５にそれぞれ当接するように配設され前記各ブラシ装置５にそれぞれ付着した塵埃類を前記各ブラシ装置５から回収する塵埃回収体４ａを有する塵埃回収手段４とを備えている。なお、回転軸７および回転軸８は、筐体２の側面板に設けられた穴に係合され回転自在に保持されている。また、塵埃回収手段４は、図示しないが固定部品によりブラシ装置５に所定の圧力にて押し付けた状態で保持されている。
【００１３】
図６（ｂ）に示すとおり、上記ブラシ装置５は、回転軸７に連結固定された保持体５ｂを中心として多数の刷毛などの線状体５ａが放射状に植設されて外観が略円筒状に形成されたものであり、駆動用モータ６の回転に従動して回転され、線状体５ａの先端部がエスカレータ等乗客用コンベアの踏板１１の溝内にも侵入するように当接して、踏板１１の上面部に付着した汚れや異物を掻き出すように構成されている。
【００１４】
この実施の形態１では、図１に示すように、ブラシ装置５は踏板１１の長手方向の両端部側に各１個、中央部側に１個装備され、両端部側の各１個と中央部側の１個は、踏板１１の長手方向に互いにオーバーラップさせることにより、踏板１１の長手方向全体に亘り一度に清掃できるような構成となっている。
【００１５】
前記塵埃回収手段４は、塵埃・油分が付着し易い例えば天然繊維、化学繊維などの材質からなる繊維状素材の集積体や、発泡材料のブロックなどからなる塵埃回収体４ａと、塵埃回収体４ａを保持する支持板４ｂとから構成されている。
【００１６】
前記踏板清掃装置１は取付アーム３により乗客用コンベアの乗降口１４近傍に、スカート部１３等に固定され設置したときに図４に示すように踏板１１の上面及び図示省略している踏板１１の溝内にブラシ装置５の線状体５ａの先端部が当接するように構成されている。なお、図４において、紙面手前側の手すり１２及びスカート部１３は装置の設置状態の説明のため省略して記載してある。
【００１７】
次に、上記のように構成された実施の形態１の動作について説明する。先ず、踏板清掃装置１を乗客用コンベアの乗降口１４近傍に図４のようにブラシ装置５の外周面が踏板１１上に押し付けるようにセットする。
【００１８】
図１ないし図４に示す状態において、駆動用モータ６を動作させると駆動軸６ａが回転する。この駆動軸６ａと回転軸７、回転軸８とに懸架された駆動用ベルト９、駆動用ベルト１０を介して各ブラシ装置５が矢印Ａの方向に回転する。
【００１９】
このような状態において、乗客用コンベアを運転することにより、ブラシ装置５によってかき出された踏板１１の溝内を含む上面部に付着している油分を含む塵埃類は、ブラシ装置５の刷毛である線状体５ａに付着し、ブラシ装置５が塵埃回収手段４に押し当てられていることにより、ブラシ装置５から除去され、塵埃回収手段４に転着されて回収される。
【００２０】
上述した動作を無端状に連結された踏板１１が少なくとも１周する間続けることで、ブ
ラシ装置５が当接した部分の清掃が踏板１１の長手方法全体を一度に完了させることができる。もしどうしても一回の清掃動作で踏板１１の長手方法全体の清掃が実施できない場合は、適宜幅方向に設置位置をずらして再度同様に清掃運転を実施することで、踏板１１の長手方法全体にわたって清掃が完了する。なお、塵埃回収手段４に対する塵埃の転着の効果を上げるために、塵埃回収手段４に例えば、脱脂処理、静電気除去剤の含浸など各種表面処理を施すことは好ましい。また、塵埃回収手段４のブラシ装置５への押し付け圧力を調整することにより塵埃回収効率を適宜調整することができる。
【００２１】
さらに、踏板１１は例えば図５の矢印方向（下り運転）に移動するように運転されるが、その逆でも差支えない。
【００２２】
上述したように、この実施の形態１によれば、清掃用のブラシ装置５に付着した油分を含む塵埃類を取り除くための固定式の塵埃回収手段４を設けたことにより安価な装置構成で、ブラシ装置５の踏板１１と接触する部分の汚れを落とせるため、清掃性能を落とすことなく、従来よりも長時間安定した乗客用コンベアの踏板面の清掃が可能となる。
【００２３】
また、塵埃回収手段４によるブラシ装置５の汚れ落としは、踏板清掃装置１の運転時に同時に行われるため、清掃完了後のブラシ装置５のメンテナンスが不要となり作業性が向上する。
【００２４】
また、清掃用のブラシ装置５を長時間きれいな状態に保てるので、ブラシ装置５の交換頻度が少なくなり、清掃作業の効率化が図れ、環境負荷の軽減にも繋げられる。
【００２５】
実施の形態２．
この発明の実施の形態２を図７に基づいて説明する。図７はこの発明の実施の形態２に係わる乗客コンベアの踏板清掃装置における塵埃回収手段を示す図であり、図７（ａ）は装置の側面図、図７（ｂ）はブラシ装置５及び塵埃回収手段４の詳細図、図７（ｃ）は塵埃回収手段４の斜視図をそれぞれ示している。
【００２６】
この実施の形態２は、上述した実施の形態１の踏板清掃装置１の塵埃回収手段４の下部に、回収できずにこぼれてしまう塵埃を受けるための受け皿４ｃを追加したものですある。その他の構成は上述した実施の形態１と同様であるので説明を省略する。
【００２７】
上記のように構成された実施の形態２においては、塵埃回収手段４の下部に受け皿４ｃを追加したことにより、清掃動作中に踏板面に零れ落ちる塵埃の量を削減できる。
【００２８】
上記のように、この実施の形態２によれば、塵埃回収手段４の下部に受け皿４ｃを追加したことにより、清掃動作中に踏板面に零れ落ちる塵埃の量を削減できるので、清掃時間を短くすることができるという効果が得られる。
【００２９】
実施の形態３．
この発明の実施の形態３を図８に基づいて説明する。図８はこの発明の実施の形態３に係わる乗客コンベアの踏板清掃装置における塵埃回収手段を示す図であり、図８（ａ）は装置の側面図、図８（ｂ）はブラシ装置５及び塵埃回収手段４の詳細図、図８（ｃ）は塵埃回収手段４の斜視図をそれぞれ示している。
【００３０】
この実施の形態３は、上述した実施の形態１の踏板清掃装置１の塵埃回収手段４の構造として、箱型の回収手段としたものである。塵埃回収手段１５は、箱体１５ｂと、開口部１５ａとからなる。ブラシ装置５が回転しながら塵埃を回収すると、塵埃回収手段１５の開口部１５ａにブラシ装置５の刷毛である線状体５ａの先端部が入り込み、開口部１５ａ
の前面壁面のエッジ１５ｃにより塵埃１６が漉き取られ、箱体１５ｂ内部の空間に集積されるような構造としたものである。
【００３１】
塵埃回収手段１５の設置位置は、ブラシ装置５の刷毛である線状体５ａの先端部が前記エッジ１５ｃに上方向から当たるように、上述した実施の形態１の設置位置とは反対側に変更したものである。その他の構成は上述した実施の形態１と同様であるので説明を省略する。
【００３２】
上記のように構成された実施の形態３においては、塵埃回収手段１５として箱型形状の構造体を用いたので、塵埃回収性能が長時間にわたり維持できるので、装置のメンテナンスサイクルを長くすることができるという効果が得られる。
【００３３】
実施の形態４．
この発明の実施の形態４を図９および図１０に基づいて説明するが、各図において、同一、または相当部材、部位については同一符号を付して説明する。図９はこの発明の実施の形態４に係わる乗客コンベアの踏板清掃装置における塵埃回収手段を示す図である。図１０はこの発明の実施の形態４に係わる乗客コンベアの踏板清掃装置における塵埃回収手段の他の例を示す図である。なお、図９（ａ）は装置の側面図、図９（ｂ）はブラシ装置５及び塵埃回収手段４の詳細図、図９（ｃ）は塵埃回収手段４の斜視図をそれぞれ示している。また、図１０（ａ）は装置の側面図、図１０（ｂ）はブラシ装置５及び塵埃回収手段４の詳細図、図１０（ｃ）は塵埃回収手段４の斜視図をそれぞれ示している。
【００３４】
この実施の形態４は、上述した実施の形態１の塵埃回収手段４の構造と、上述した実施の形態３の塵埃回収手段１５の構造を組み合わせたものである。塵埃回収手段１７は、繊維状素材の集積体または発泡材料のブロックからなる塵埃回収体１７ａと箱体１７ｂと、開口部１７ｃとからなる。ブラシ装置５が回転しながら塵埃を回収すると、塵埃回収手段１７の繊維状素材の集積体または発泡材料のブロックからなる塵埃回収体１７ａで大半の塵埃が拭い取られ、その後、開口部１７ｃにブラシ装置５の刷毛である線状体５ａの先端部が入り込み、開口部１７ｃの前面壁面のエッジ１７ｄにより塵埃１６が漉き取られ、箱体１７ｂ内部の空間に集積されるような構造としたものである。
【００３５】
塵埃回収手段１７の設置位置は、ブラシ装置５の刷毛である線状体５ａの先端部が前記エッジ１７ｄに上方向から当たるように、上述した実施の形態１の設置位置とは反対側に変更したものである。その他の構成は上述した実施の形態１と同様であるので説明を省略する。
【００３６】
なお、繊維状素材の集積体または発泡材料のブロックからなる塵埃回収体１７ａと箱体１７ｂの位置関係として、図１０に示すように逆になっていてもよい。塵埃回収手段１８は、繊維状素材の集積体または発泡材料のブロックからなる塵埃回収体１８ａと箱体１８ｂと、開口部１８ｃとからなる。ブラシ装置５が回転しながら塵埃を回収すると、塵埃回収手段１８の繊維状素材の集積体または発泡材料のブロックからなる塵埃回収体１８ａで大半の塵埃が拭い取られ、その後、開口部１８ｃにブラシ装置５の刷毛である線状体５ａの先端部が入り込み、開口部１８ｃの前面壁面のエッジ１８ｄにより塵埃１６が漉き取られ、箱体１８ｂ内部の空間に集積されるような構造としたものである。図１０の構成にすることにより、大きな塵埃を箱体１８ｂに先に回収し、小さな塵埃を繊維状素材の集積体または発泡材料のブロックからなる塵埃回収体１８ａに回収できるので、回収効率が更に向上する。
【００３７】
上記のように構成された実施の形態４においては、塵埃回収手段１７，１８として繊維状素材の集積体または発泡材料のブロックからなる塵埃回収体と箱型形状の構造体を用い
たので、塵埃回収性能が更に長時間にわたり維持できるので、装置のメンテナンスサイクルを長くすることができるという効果が得られる。
【００３８】
実施の形態５．
この発明の実施の形態５を図１１および図１２に基づいて説明するが、各図において、同一、または相当部材、部位については同一符号を付して説明する。図１１はこの発明の実施の形態５に係わる乗客コンベアの踏板清掃装置を示す側面図である。図１２はこの発明の実施の形態５に係わる乗客コンベアの踏板清掃装置の設置状態を示す側面図である。
【００３９】
この実施の形態５では、踏板清掃装置１は、筐体２の外周下端に軟質樹脂、ゴム等で形成されたパッキン体１９を備え、かつ筐体２の天面の中央付近に内部の空気を吸引するための吸引口２０を備えている。図１２はこの実施の形態５の踏板清掃装置１の動作状態を示すものであり、吸引口２０に例えば掃除機からなる吸引装置２１を接続し、乗客用コンベアに設置して使用する。上述した実施の形態１と同様な運転を実施すると同時に、掃除機からなる吸引装置２１を運転し、踏板１１の溝部から掻き出された塵埃で、ブラシ装置５で捕捉できずに踏板面に零れ落ちた塵埃を掃除機からなる吸引装置２１による吸引力により回収することができる。
【００４０】
掃除機からなる吸引装置２１による吸い込みにより、踏板清掃装置１の左側下部より気流Ｂのように吸い込み、筐体２内部を気流Ｃのように流れ内部に残った零れた塵埃を巻き上げながら吸引口２０より排出される。パッキン体１９は、掃除機からなる吸引装置２１にて吸引するときに筐体２と踏板面との隙間を狭くし、吸引効率を向上させる役割を果たしている。その他の構成は上述した実施の形態１と同様であるので説明を省略する。
【００４１】
上記のように構成された実施の形態５においては、塵埃の捕捉手段として補助的に掃除機からなる吸引装置２１を装着したので、塵埃の回収効率が更に向上し、清掃動作中に踏板面に零れ落ちる塵埃の量を削減できるので、清掃時間を更に短くすることができるという効果が得られる。
【００４２】
なお、上記実施の形態１〜５では、駆動源として駆動用モータ６を用い、駆動力の伝達手段として駆動用ベルト９，１０を用いたが、駆動手段や伝達手段、伝達方式などはこれら実施の形態のものに限定されるものではない。例えば、伝達手段としてチェーンなどを用い、あるいは回転軸７，８を直接駆動するダイレクトドライブ方式などに変更しても良い。
【００４３】
また、ブラシ装置５と塵埃回収手段４が常時当接しているように図示したが、塵埃回収手段４の保持機構を図の上下方向に可変にできるような構造とし、例えば駆動用モータ６の起動時等、当接状態を任意に解除し得るようにしても良い。
【００４４】
更に、ブラシ装置５を両端各１個、中央１個の合計３個の構成で説明したが、ブラシ装置５の個数や配置は、これに限定されるものでなく、必要に応じて増減してもよい。
【００４５】
さらに、ブラシ装置５と塵埃回収手段４の当接のさせ方、当接させる位置、あるいは圧力のかけ方等、この発明の範囲内で各種の変更や変形できることは言うまでもない。
【００４６】
ところで、上記各実施の形態ではこの発明をエスカレータに適用した場合について説明したが、例えばいわゆる「動く歩道」や、移動方向に段差が生じない傾斜路を形成した乗客用コンベアなどにも適用できることは言うまでもない。
【００４７】
また、踏板または踏面がゴム製の素材を用いたものでも差支えない。
【００４８】
なお、この発明は、その発明の範囲内において、各実施の形態を自由に組み合わせたり、各実施の形態を適宜、変形、省略することが可能である。
【産業上の利用可能性】
【００４９】
この発明は、乗客コンベアの踏板清掃装置の運転を長時間止めることなく、清掃性能を維持することができる乗客コンベアの踏板清掃装置の実現に好適である。
【符号の説明】
【００５０】
１  踏板清掃装置
４  塵埃回収手段
４ａ  塵埃回収体
４ｃ  受け皿
５  ブラシ装置
１１  踏板
１５  塵埃回収手段
１６  塵埃
１７  塵埃回収手段
１７ａ  塵埃回収体
１８  塵埃回収手段
１８ａ  塵埃回収体
２１  吸引装置
【図１】
0005800722.tif 000002
【図２】
0005800722.tif 000003
【図３】
0005800722.tif 000004
【図４】
0005800722.tif 000005
【図５】
0005800722.tif 000006
【図６】
0005800722.tif 000007
【図７】
0005800722.tif 000008
【図８】
0005800722.tif 000009
【図９】
0005800722.tif 000010
【図１０】
0005800722.tif 000011
【図１１】
0005800722.tif 000012
【図１２】
0005800722.tif 000013